(57)【要約】【課題】プロファイルが未登録である新規記録用紙に対して、既存のプロファイルの中から近似するプロファイルを抽出する。【解決手段】印刷する色の再現目標である印刷ターゲットと、パッチパターンを印刷し、当該パッチパターンを測色することで取得する基準データとからプロファイルを生成するときに、表面の処理状態、厚み、地色等の記録用紙の特徴データ、基準データから得られる生成情報を関連付けてプロファイルを保存することで、プロファイルがない新規記録用紙に対して、記録用紙の特徴データ、生成情報を基に、既存のプロファイルから完全一致も含め、近似のプロファイルを抽出する。また、近似のプロファイルを抽出する優先順位も変更することができるようにすることで、より近似のプロファイルを抽出する。【選択図】図６
2008294554.tif 000002
【特許請求の範囲】
【請求項１】
印刷する色の再現目標である印刷ターゲットデータによる色再現結果をシミュレーションする機能を持ち、当該シミュレーション結果に基づいて所望の色再現の下で印刷処理可能な画像処理方法であって、
表面処理状態、厚み、地色の少なくとも１つを含み、色再現に影響を及ぼす要素に基づいて生成された記録用紙固有の特徴データ、並びに、前記記録用紙に複数のパッチパターンを印刷し、印刷された当該パッチパターンを測色することで得られる前記記録用紙固有の生成情報の少なくとも一方から記録用紙毎に分類された色再現のためのプロファイルを生成し、
前記特徴データ及び、前記生成情報の少なくとも一方に合致する前記プロファイルを抽出する基本抽出制御の実行時に、前記特徴データ及び、前記生成情報の少なくとも一方に合致する前記プロファイルが抽出されなかった場合は、予め設定した優先順位決定手順により近似する前記プロファイルを候補として抽出することを特徴とする画像処理方法。
【請求項２】
表面の処理状態、厚み、地色の少なくとも１つを含み、色再現に影響を及ぼす要素に基づいて記録用紙固有の特徴データを作成する特徴データ作成手段と、
前記記録用紙に対して、複数のパッチパターンを印刷し、印刷された当該パッチパターンを測色することで入力色データに対する出力色データの相関特性である生成情報を取得する生成情報取得手段と、
印刷する色の再現目標を示す印刷ターゲットデータと前記生成情報とから、種類の異なる前記記録用紙毎に色再現するためのプロファイルを生成するプロファイル生成手段と、
前記プロファイルを必須とし、当該プロファイル、前記生成情報及び前記特徴データの少なくとも１つを相互に関連付けて記憶するための記憶手段と、
を有する画像処理装置。
【請求項３】
特定の前記記録用紙を用いて印刷処理する場合に、前記記憶手段に記憶されている前記プロファイルから当該特定の記録用紙の前記プロファイルを抽出して、この抽出された前記プロファイルに基づいて印刷を実行する印刷実行手段を更に有することを特徴とする請求項２記載の画像処理装置。
【請求項４】
特定の前記記録用紙の前記プロファイルが、前記記憶手段に記憶されていない場合に、前記生成情報と前記記録用紙の前記特徴データとを基に、前記記憶手段に記憶されている前記プロファイルから予め定めた優先順位決定手順に応じて近似する前記プロファイルの候補を抽出するプロファイル抽出手段を更に有することを特徴とする請求項３記載の画像処理装置。
【請求項５】
前記優先順位決定手順は、設定により変更可能であることを特徴とする請求項４記載の画像処理装置。
【請求項６】
前記生成情報は、シアン、マゼンタ、イエロー、黒の１次色濃度データの測色データ、シアン、マゼンタ、イエローの中で２色を組み合わせる２次色濃度データの測色データ、シアン、マゼンタ、イエローの各色を所定の濃度で組み合わせるプロセスグレーの濃度データの測色データ、特定色領域に対応するシアン、マゼンタ、イエロー、黒を組み合わせる任意の濃度データの測色データであることを特徴とする請求項２〜請求項５の何れか１項記載の画像処理装置。
【発明の詳細な説明】
【技術分野】
【０００１】
本発明は、色再現をシミュレーションする機能を有する画像処理方法及び画像処理装置に関するものである。
【背景技術】
【０００２】
従来、印刷機能を有する画像処理装置では、シアン（Ｃ）、マゼンタ（Ｍ）、イエロー（Ｙ）、黒（Ｋ）で構成される画像データや、Ｃ、Ｍ、Ｙ、Ｋの各単色の入力濃度が１００％の画像データ（所謂、ベタ濃度）を出力した場合、同じ画像データであっても印刷する記録用紙種によって色再現は異なる。
【０００３】
これは、記録用紙の地色の差や、記録用紙の表面のコーティングの有無等の記録用紙種そのものの直接的要因や、記録用紙の厚さによる定着温度や定着時間等の間接的要因に起因するものである。
【０００４】
このため、印刷ターゲット（例えば、ＪａｐａｎＣｏｌｏｒやＪＭＰＡカラー等）の色再現をシミュレーションする機能を持つ画像処理装置において、プロファイルを生成するには、使用する記録用紙種毎にプロファイルを生成する必要がある。すなわち、同じ印刷ターゲットでも、使用する記録用紙種毎にプロファイルがなければ、常に所望する色を再現することができない。
【０００５】
プロファイルを生成するには、記録用紙に多数のＣＭＹＫの組み合わせによるパッチセットのパッチパターンを出力し、その出力したパッチパターンを測色することにより、当該画像処理装置での当該記録用紙のＣＭＹＫの入力に対する出力特性をモデル化する必要があり、プロファイルの生成には数時間程度かかる。また、既存のプロファイルから使用する記録用紙に近似するプロファイルを選択するには、オペレータの経験による知識を必要としている。
【０００６】
そこで、印刷機における印刷結果を、プリンタによってシミュレーションする画像形成処理装置において、色変換情報と、印刷機の各単色インキのベタ濃度と用紙の地色に関する情報を含む制御情報とを含むプロファイルを生成し、プリンタの出力状態を調整することが提案されている（特許文献１参照）。
【特許文献１】特開２００６−０８５６３９公報
【発明の開示】
【発明が解決しようとする課題】
【０００７】
しかしながら、特許文献１では、プロファイルに含める情報は印刷ターゲットに関するものであり、記録用紙毎のプリンタ出力特性情報ではない。また、プロファイルの使用目的も、印刷機のベタ濃度データを、プリンタでのベタ濃度データに近づけるために行なっている。
【０００８】
本発明は上記事実を考慮し、印刷ターゲットに応じた色再現性が良好なプロファイルを抽出することができる画像処理方法及び画像処理装置を得ることが目的である。
【課題を解決するための手段】
【０００９】
第１の発明は、印刷する色の再現目標である印刷ターゲットデータによる色再現結果をシミュレーションする機能を持ち、当該シミュレーション結果に基づいて所望の色再現の下で印刷処理可能な画像処理方法であって、表面処理状態、厚み、地色の少なくとも１つを含み、色再現に影響を及ぼす要素に基づいて生成された記録用紙固有の特徴データ、並びに、前記記録用紙に複数のパッチパターンを印刷し、印刷された当該パッチパターンを測色することで得られる前記記録用紙固有の生成情報の少なくとも一方から記録用紙毎に分類された色再現のためのプロファイルを生成し、前記特徴データ及び、前記生成情報の少なくとも一方に合致する前記プロファイルを抽出する基本抽出制御の実行時に、前記特徴データ及び、前記生成情報の少なくとも一方に合致する前記プロファイルが抽出されなかった場合は、予め設定した優先順位決定手順により近似する前記プロファイルを候補として抽出することを特徴としている。
【００１０】
第１の発明によれば、色再現に影響を及ぼす要素を考慮するため、所望の色再現が熟練者に頼ることなくプロファイルが抽出可能となる。
【００１１】
第２の発明は、表面の処理状態、厚み、地色の少なくとも１つを含み、色再現に影響を及ぼす要素に基づいて記録用紙固有の特徴データを作成する特徴データ作成手段と、前記記録用紙に対して、複数のパッチパターンを印刷し、印刷された当該パッチパターンを測色することで入力色データに対する出力色データの相関特性である生成情報を取得する生成情報取得手段と、印刷する色の再現目標を示す印刷ターゲットデータと前記生成情報とから、種類の異なる前記記録用紙毎に色再現するためのプロファイルを生成するプロファイル生成手段と、前記プロファイルを必須とし、当該プロファイル、前記生成情報及び前記特徴データの少なくとも１つを相互に関連付けて記憶するための記憶手段と、を有している。
【００１２】
第２の発明によれば、印刷ターゲットデータと、パッチパターンを測色することで取得することができる生成情報、記録用紙の特徴データを関連付けてプロファイルを保存することから、生成情報、記録用紙の特徴データを基にしてプロファイルを作成していない新規の記録用紙に最適な既存のプロファイルを抽出することができる。
【００１３】
また、上記第２の発明において、特定の前記記録用紙を用いて印刷処理する場合に、前記記憶手段に記憶されている前記プロファイルから当該特定の記録用紙のプロファイルを抽出して、この抽出された前記プロファイルに基づいて印刷を実行する印刷実行手段を更に有することを特徴としている。
【００１４】
特定の記録用紙に対するプロファイルを用いて印刷を実行することにより、所望する色を再現することができる。
【００１５】
さらに、上記第２の発明において、特定の前記記録用紙の前記プロファイルが、前記記憶手段に記憶されていない場合に、前記生成情報と前記記録用紙の前記特徴データとを基に、前記記憶手段に記憶されている前記プロファイルから予め定めた優先順位決定手順に応じて近似する前記プロファイルの候補を抽出するプロファイル抽出手段を更に有することを特徴としている。
【００１６】
プロファイルが生成情報と記録用紙の特徴データとを含んでいることから、その生成情報と特徴データとを基に、優先順位に応じて近似するプロファイルを抽出することが可能となる。
【００１７】
また、上記第２の発明において、前記優先順位決定手順は、設定により変更可能であることを特徴としている。
【００１８】
プロファイルを抽出する優先順位を変更できることにより、ユーザが重要と考える項目に応じてプロファイルを抽出することができる。
【００１９】
また、上記第２の発明において、前記生成情報が、シアン、マゼンタ、イエロー、黒の１次色濃度データの測色データ、シアン、マゼンタ、イエローの中で２色を組み合わせる２次色濃度データの測色データ、シアン、マゼンタ、イエローの各色を所定の濃度で組み合わせるプロセスグレーの濃度データの測色データ、特定色領域に対応するシアン、マゼンタ、イエロー、黒を組み合わせる任意の濃度データの測色データであることを特徴としている。
【００２０】
ＣＭＹＫの１次色やＣＭＹの２次色のベタ濃度データ等を測色することにより得られる測色データ、ユーザが重要と考える特定色（例えば、肌、空、コーポレートカラー等）を生成情報に加えることにより、プロファイルを抽出する場合の条件とすることができ、より近似するプロファイルを抽出することができる。
【発明の効果】
【００２１】
以上説明した如く本発明では、印刷ターゲットに応じた色再現性が良好なプロファイルを抽出することができる画像処理方法及び画像処理装置を得ることができるという優れた効果を有する。
【発明を実施するための最良の形態】
【００２２】
図１には、本実施の形態に係る画像処理装置１０が示されている。
【００２３】
画像処理装置１０は、プリンタサーバ１２とプリンタ１４とで構成されている。プリンタサーバ１２は、サーバ本体１２Ｓ、キーボード１２Ｋ、マウス１２Ｍや、ＣＲＴディスプレイやＬＣＤディスプレイ等の表示部１２Ｌを備えている。プリンタサーバ１２は、印刷ジョブに応じた印刷出力を実行する。
【００２４】
画像出力装置であるプリンタ１４は、画像を印刷する印刷部と、画像データを読込むスキャナ４２とを備えており、プリンタの種類によっては色再現のための画像データを読込む測色器３８も備えている。なお、この測色器３８があれば、本発明においてスキャナ４２は必須ではない。
【００２５】
また、画像処理装置１０は、図２に示すように、ネットワーク１６に接続されている画像処理装置をクライアント端末１８によって制御するようにしてもよい。
【００２６】
図３は、本実施の形態のプリンタサーバ１２の表示部１２Ｌにおける記録用紙の特徴データを設定するＰＣ上での設定画面の概略図である。
【００２７】
表示部１２Ｌの用紙種設定画面２０は、表面処理状態として、４種類から１つを選択する項目画像２０Ａ、厚みとして坪量を入力する画像２０Ｂ、地色を、色濃度パターンからピンポイント指定する選択画像２０Ｃで構成されている。
【００２８】
ここで、画像処理装置１０は、印刷ジョブに応じてプリンタ１４が印刷出力を実行している。
【００２９】
ＰＣ等で作成された画像データは、ＲＧＢ色空間の画像データ（ＲＧＢ信号）であるが、プリンタ１４では、ＣＭＹＫ色空間の画像データ（ＣＭＹＫ信号）を扱う。そこでプロファイルを用いて、ＲＧＢ信号をデバイス非依存の色空間である、例えばＬ＊ａ＊ｂ＊色空間のデータに変換した後、出力側のデバイス依存の色空間のＣＭＹＫ信号に変換して印刷している。
【００３０】
プロファイルを使用して印刷することにより、印刷した結果を、印刷する色の再現目標である印刷ターゲットに近づけている。しかし、印刷する記録用紙は、記録用紙種毎の表面処理状態、厚み、地色等の要因により、同一のプロファイルを用いても所望する色を再現することができないことがある。
【００３１】
これまでは、熟練者が経験則から、使用する記録用紙の特徴を判断し、印刷ターゲットに応じた色再現性が良好なプロファイルを抽出していた。しかし、経験が浅い場合等には、良好なプロファイルを抽出するのは困難であった。
【００３２】
そこで、本実施の形態では、プロファイルを作成するために、ＣＭＹＫパッチパターンを印刷し、測色することで得られる生成情報と、記録用紙において色再現に影響を及ぼす要因である表面処理状態、厚み、地色等の特徴データとをプロファイルと関連付けて保存するようにした。
【００３３】
以下、本発明のプロファイルの生成と抽出について詳細に説明する。
【００３４】
図４は、本実施の形態の画像処理装置１０におけるプロファイルの生成と抽出を実行するための機能ブロック図である。
【００３５】
制御部３０は、プロファイル生成部３２、プロファイル抽出部３４、生成情報取得部４８、特徴データ入力部５０に接続されている。制御部３０は、オペレータの指示がプロファイルの作成指示であればプロファイル生成部３２にプロファイル作成指示と印刷ターゲットデータとを送出する。オペレータの指示がプロファイルを適用しての印刷指示であれば、印刷ターゲットデータと印刷データとをプロファイル抽出部３４へ送出する。また、プロファイルの作成指示、プロファイルを適用しての印刷指示を生成情報所得部４８と特徴データ入力部５０へ送出する。
【００３６】
プロファイル生成部３２は、印刷部３６と記憶部５２とに接続されている。プロファイル生成部３２は、制御部３０からのプロファイル作成指示により印刷部３６へＣＭＹＫパッチセットであるパッチパターンを印刷するようパッチパターンデータを送出する。
【００３７】
印刷部３６は、測色器３８に接続されている。印刷部３６は、パッチパターンデータに基づいてパッチパターンを印刷し、印刷結果を測色器３８に送出する。
【００３８】
測色器３８は、測色データ解析部４０に接続されている。測色器３８は、印刷部３６が印刷したパッチパターンを測色し、測色結果である測色データを測色データ解析部４０に送出する。
【００３９】
測色データ解析部４０は、基準データ生成部４６に接続されている。測色データ解析部４０は、測色器３８から送出される測色データを解析し、解析結果データを基準データ生成部４６に送出する。
【００４０】
なお、測色器３８を備える画像処理装置１０であれば、測色器３８を用いて印刷部３６で印刷されたパッチパターンを測色する。しかし、測色器３８を備えていない画像処理装置１０であれば、スキャナ４２を用いてパッチパターンを読み取る。
【００４１】
スキャナ４２は、読取データ解析部４４に接続されている。スキャナ４２は、印刷部３６が印刷したパッチパターンを読み取り、読み取ったデータを読取データ解析部４４に送出する。
【００４２】
読取データ解析部４４は、基準データ生成部４６に接続されている。読取データ解析部４４は、スキャナ４２から送出される読み取りデータを解析し、解析結果データを基準データ生成部４６に送出する。
【００４３】
基準データ生成部４６は、生成情報取得部４、プロファイル生成部３２、記憶部５２に接続されている。基準データ生成部４６は、測色データ解析部４０から送出される解析結果データを基に基準データを生成し、生成情報取得部４８とプロファイル生成部３２とに送出する。また、測色データ解析部４０から送出される解析結果に含まれる記録用紙の地色データ等の特徴データを記憶部５２に送出する。
【００４４】
生成情報取得部４８は、プロファイル生成部３２、プロファイル抽出部３４、記憶部５２に接続している。生成情報取得部４８は、基準データ生成部４６から送出される基準データに基づいて、パッチパターンのＣ、Ｍ、Ｙ、Ｋの１次色ベタ濃度データに対する測色データ、Ｃ、Ｍ、Ｙを組み合わせることで得られるＲ、Ｇ、Ｂ等の２次色ベタ濃度データに対する測色データ、中間調の濃度データに対する側色データ、プロセスグレーの濃度データに対する測色データ、記録用紙の地色データ等の生成情報を取得する。また、ユーザが重要と考える肌、空、コーポレートカラー等の特定色領域に対するＣ、Ｍ、Ｙ、Ｋを組み合わせることで得られる濃度データに対する測色データの生成情報も取得する。生成情報取得部４８は、制御部３０からプロファイルの作成指示が送出されていればプロファイル生成部３２と記憶部５２とへ、制御部３０からプロファイルを適応しての印刷指示が送出されていればプロファイルを特定するためにプロファイル抽出部３４へ取得した生成情報を送出する。
【００４５】
また、プロファイル生成部３２は、制御部３０から送出される印刷ターゲットデータ、基準データ生成部４６から送出される基準データ、生成情報取得部４８から送出される生成情報を基に、プロファイルを生成する。プロファイル生成部３２は、生成したプロファイルを記憶部５２へ送出する。
【００４６】
特徴データ入力部５０は、プロファイル抽出部３４と記憶部５２とに接続されている。特徴データ入力部５０は、オペレータによって入力される記録用紙の特徴データを、制御部３０からプロファイルの作成指示が送出されていれば記憶部５２へ、制御部３０からプロファイルを適応しての印刷指示が送出されていればプロファイル抽出部３４へ送出する。
【００４７】
記憶部５２は、プロファイル生成部３２から送出されたプロファイルを記憶する。また、基準データ生成部４６から送出された特徴データ、生成情報取得部４８で取得された生成情報、特徴データ入力部５０で入力された特徴データをプロファイルと関連付けて記憶する。
【００４８】
プロファイル抽出部３４は、印刷部３６と記憶部５２とに接続されている。プロファイル抽出部３４は、生成情報取得部４８から送出される生成情報と、特徴データ入力部５０から入力される記録用紙の特徴データを基に、記憶部５２に記憶されているプロファイルを照合して抽出し、そのプロファイル情報と、制御部３０から送出される印刷データを印刷部３６へ送出する。印刷部３６は、プロファイルを適用させて印刷データを印刷する。
【００４９】
以下、本実施の形態の作用を説明する。
【００５０】
例えば、画像処理装置１０に設けられたプリントサーバ１２から直接、あるいは、クライアント端末１８から送出される印刷データは、プリントサーバ１２が画像処理を行い、プリンタ１４へ印刷データが送出され、印刷が実行される。このとき、色再現のためにプロファイルを用いて印刷することができる。
【００５１】
まず、本実施の形態のプロファイルを抽出するための、プロファイルの生成について説明する。
【００５２】
図５は、プロファイルの生成の処理の流れを示すフローチャートである。
【００５３】
ステップ１００では、印刷部３６がＣＭＹＫのパッチセットであるパッチパターンを印刷し、ステップ１０２へ移行する。
【００５４】
ステップ１０２では、印刷部３６が印刷したパッチパターンを測色器３８で測色する。測色器３８がない場合はスキャナ４２で読み取る。測色すると、ステップ１０４へ移行する。
【００５５】
ステップ１０４では、ステップ１０２で測色したデータを測色データ解析部４０、又は読取データ解析部４４が解析し、基準データ生成部４６が基準データを生成してステップ１０６へ移行する。
【００５６】
ステップ１０６では、プロファイル生成部３２が印刷ターゲットデータと、基準データ生成部４６が生成した基準データとを基にプロファイルを生成し、ステップ１０８へ移行する。
【００５７】
ステップ１０８では、生成情報取得部４８が、基準データに含まれる生成情報を抽出し、ステップ１１０へ移行する。
【００５８】
ステップ１１０では、オペレータによって記録用紙の特徴データを入力するか否かが判定される。記録用紙の特徴データを入力しないと否定判定されるとステップ１１１へ移行し、特徴データを入力すると肯定判定されるとステップ１１２へ移行する。
【００５９】
ステップ１１１では、記憶部５２に、プロファイルと生成情報とを関連付けて記憶し、このルーチンは終了する。
【００６０】
ステップ１１２では、オペレータによって記録用紙の特徴データが入力され、ステップ１１４へ移行する。
【００６１】
ステップ１１４では、記憶部５２に、プロファイルと、生成情報、特徴データを関連付けて記憶し、このルーチンは終了する。
【００６２】
次に、プロファイルの抽出について説明する。
【００６３】
図６は、プロファイルを抽出するための流れを示すフローチャートである。
【００６４】
ステップ２００では、新規に使用する記録用紙か否かが判定される。新規に使用する記録用紙ではないと否定判定された場合には、ステップ２０２へ移行する。
【００６５】
ステップ２０２では、既存のプロファイルを選択し、ステップ２４２へ移行する。
【００６６】
ステップ２００で、新規に使用する記録用紙であると肯定判定された場合には、ステップ２０４へ移行する。
【００６７】
ステップ２０４では、生成情報を入力するか否かが判定される。生成情報を入力しない否定判定の場合には、ステップ２０６へ移行し、生成情報を入力する肯定判定の場合には、ステップ２４０へ移行する。
【００６８】
ステップ２０６では、ＣＭＹＫパッチセットであるパッチパターンを印刷部３６が印刷し、ステップ２０８へ移行する。
【００６９】
ステップ２０８では、測色器３８が有るか否かが判定される。測色器３８が有ると肯定判定されるとステップ２１０へ移行する。
【００７０】
ステップ２１０では、印刷したパッチパターンを測色器３８で測色して、ステップ２１２へ移行する。
【００７１】
ステップ２１２では、測色器３８で測色した測色データを、測色データ解析部４０が解析し、生成情報取得部４８が新規記録用紙の生成情報を取得してステップ２２０へ移行する。
【００７２】
ステップ２０８で、測色器３８がないと否定判定されるとステップ２１４へ移行する。
【００７３】
ステップ２１４では、スキャナ４２を使用してパッチパターンの読み取りを促す報知を行い、ステップ２１６へ移行する。
【００７４】
ステップ２１６では、印刷したパッチパターンをスキャナ４２が読み取り、ステップ２１８へ移行する。
【００７５】
ステップ２１８では、スキャナ４２が読み取ったパッチパターンを、読取データ解析部４４が解析し、生成情報取得部４８が新規記録用紙の生成情報を取得してステップ２２０へ移行する。
【００７６】
ステップ２２０では、オペレータが特徴データ入力部５０により、記録用紙の特徴データを入力し、ステップ２２２へ移行する。
【００７７】
ステップ２２２では、生成情報と特徴データとに関するデータの入力が終了したか否かが判定される。入力が終了していないと否定判定された場合には、ステップ２０４へ移行し、再度、新規記録用紙の生成情報の入力を実行する。
【００７８】
ステップ２２２で、新規記録用紙に関するデータ入力が終了したと肯定判定された場合には、ステップ２２４へ移行する。
【００７９】
ステップ２２４では、新規用紙の生成情報と、既存のプロファイルに含まれる生成情報とを比較し、ステップ２２６へ移行する。
【００８０】
ステップ２２６では、所定の一致条件に該当するか否かが判定される。この所定の一致条件とは、通常、Ｃ、Ｍ、Ｙ、Ｋの１次色ベタ濃度データに対する測色データ、Ｃ、Ｍ、Ｙを組み合わせることで得られるＲ、Ｇ、Ｂ等の２次色ベタ濃度データに対する測色データ、プロセスグレーの濃度データに対する測色データ、記録用紙の地色データ、顧客が重要と考える特定色の順に、一致度合いを判定する。この一致条件は、顧客が重要と考える項目に応じて、優先順位を変更することができる。
【００８１】
ステップ２２６で所定の一致条件に該当しないと否定判定の場合は、ステップ２２８へ移行する。
【００８２】
ステップ２２８では、新規記録用紙に一致するプロファイルがないメッセージを表示し、ステップ２３０へ移行する。
【００８３】
ステップ２３０では、手動で既存のプロファイルを選択するか否かが判定される。手動で既存のプロファイルを選択すると肯定された場合は、ステップ２３２へ移行する。
【００８４】
ステップ２３２では、既存のプロファイルを選択し、ステップ２４２へ移行する。
【００８５】
ステップ２３０で、手動で既存のプロファイルを選択しないと否定判定された場合は、ステップ２３４へ移行する。
【００８６】
ステップ２３４では、新規記録用紙の新規プロファイルを生成するか否かが判定される。新規プロファイルを生成しないと否定判定された場合は、このルーチンは終了する。新規プロファイルを生成すると肯定判定された場合は、ステップ２３６へ移行する。
【００８７】
ステップ２３６では、新規プロファイルの生成処理を実行し、このルーテンは終了する。
【００８８】
ステップ２２６で、所定の一致条件に該当するプロファイルがあると肯定判定された場合、ステップ２３８へ移行する。
【００８９】
ステップ２３８では、完全一致を含み一致度合いの高い順にプロファイル候補を表示し、ステップ２４０へ移行する。
【００９０】
ステップ２４０では、オペレータがプロファイルを選択し、ステップ２４２へ移行する。
【００９１】
ステップ２４２では、選択されたプロファイルに含まれるプロファイルを使用してプリント処理を実行し、このルーチンは終了する。
【００９２】
以上、説明したように、印刷する再現目標を示す印刷ターゲットデータと、任意のＣＭＹＫの組み合わせるよるパッチセットのパッチパターンを印刷し測色することで得られる基準データとを基にプロファイルを生成し、記憶する。このとき、パッチパターンを測色することで得られる基準データに含まれる生成情報と、表面の処理状態、厚み、地色等の記録用紙の特徴データとをプロファイルと関連付けて記憶する。このため、プロファイルがない新規記録用紙に対して、生成情報と記録用紙の特徴データとを基に、既存のプロファイルから完全一致を含め、近似のプロファイルを抽出することができる。また、近似のプロファイルを抽出する優先順位も変更することができるようにすることで、より近似のプロファイルを抽出することができる。
【００９３】
なお、生成情報と記録用紙の特徴データとを、プロファイルに関連付けて記憶したが、これに限ったものではない。例えば、プロファイルと関連付けて、ログファイル等に記憶させてもよい。
【００９４】
また、記録用紙の特徴データを設定する設定画面を図３に示したが、これに限ったものではない。図３に示した項目以外にも、適宜、設定項目を増やしてもよい。さらに、生成情報の詳細な設定を行う画面等を設けてもよい。
【図面の簡単な説明】
【００９５】
【図１】本実施の形態に係る画像形成装置の構成を示す正面図である。
【図２】本実施の形態に係るプリンタサーバとクライアント端末との接続を示す概略図である。
【図３】本実施の形態に係るデータ入力画面の概略図である。
【図４】本実施の形態に係る画像処理装置におけるプロファイルの生成と抽出を実行するための機能ブロック図である。
【図５】本実施の形態に係るプロファイル生成の処理の流れを示すフローチャートである。
【図６】本実施の形態に係るプロファイル抽出の処理の流れを示すフローチャートである。
【符号の説明】
【００９６】
１０  画像形成装置
３２  プロファイル生成部（プロファイル生成手段）
３２  プロファイル抽出部（プロファイル抽出手段）
３６  印刷部（印刷実行手段）
４６  基準データ生成部（特徴データ作成手段）
４８  生成情報取得部（生成情報取得手段）
５０  特徴データ入力部（特徴データ作成手段）
５２  記憶部（記憶手段）
【図１】
2008294554.tif 000003
【図２】
2008294554.tif 000004
【図３】
2008294554.tif 000005
【図４】
2008294554.tif 000006
【図５】
2008294554.tif 000007
【図６】
2008294554.tif 000008